【事件の表示】
　特願２０００−３８７８１６「オーディオデータとビデオデータとを連結して再生可能なデータ構造で記録された記録媒体、記録／再生方法及び装置」拒絶査定不服審判事件〔平成１３年　８月１０日出願公開、特開２００１−２１６７３９〕について、次のとおり審決する。
【結　論】
　本件審判の請求は、成り立たない。
【理　由】
１．手続の経緯、本願発明
　
　本願は、平成１２年１２月２０日（パリ条約による優先権主張１９９９年１２月３１日、大韓民国）の出願であって、その請求項１ないし３１に係る発明は、平成１５年６月１８日付けで手続補正された明細書の、特許請求の範囲の請求項１ないし３１に記載されたとおりのものであると認められるところ、そのうち、請求項１に係る発明（以下、「本願発明」という。）は、次のとおりである。
　
「【請求項１】　複数個のデータユニットよりなる異種の第１及び第２データと、
　第１及び第２データユニットに対する情報がデータユニットデスクリプタとして各々記録される第１及び第２データユニットデスクリプタテーブルと、
　それぞれのプログラムを構成している１つまたはそれ以上のデータユニットに対する情報がそれぞれのデータユニットデスクリプタに対する情報の形に該当プログラムのプログラムデスクリプタに貯蔵される第１及び第２プログラムデスクリプタテーブルを有し、前記第２プログラムデスクリプタテーブルのプログラムデスクリプタには第２データユニットと連結して再生を希望する１または複数の第１データユニットに対する情報を含むデータ構造で記録された記録媒体。」
　
　ところで、本願発明については、「データユニット」、「データユニットデスクリプタ」、及び「プログラムデスクリプタ」の各文言については、発明の詳細な説明を参照しても、定義及び実施例のいずれも示されておらず、図面にも前記各文言を「オーディオ」と「ビデオ」で区別したものが、ボックスで囲んだものが表示されているにすぎない。そこで、前記各文言の意味については、通常用いられる意味を踏まえて、本願明細書及び図面の記載から合理的に把握することができる意味に解することとする。
　ユニット（ｕｎｉｔ）は、
「単位。構成単位。（岩波書店　「広辞苑」　第五版　１９９８年１１月）」
「単一体、１個、一人、一団。　編成（構成）単位。（研究社　リーダーズ英和辞典　第２版　１９９９年４月）」
等の意味であるから、「データユニット」は、「構成単位となるデータ」、「データの単位」等の意味に解する。
　デスクリプタ（ｄｅｓｃｒｉｐｔｏｒ）は、
「【情報処理】 記述子 ，デスクリプター《情報の類別・索引に用いる語句[英数字]》（前出、研究社　リーダーズ英和辞典　第２版）」
「記述子　descriptor
〓情報〓 文書を識別するために使用される語，または句．計算機に基づいた情報の記憶，検索システムで用いられる．（『マグローヒル科学技術用語大辞典―第３版―』(C)1998日刊工業新聞社、ＣＤ−ＲＯＭ版、１９９８年３月３１日）」
等の意味であるから、本願発明が、記録されたデータ構造について特定されている記録媒体に関するものであることも考慮すると、「データユニットデスクリプタ」及び「プログラムデスクリプタ」は、それぞれデータユニット又はプログラムの類別、識別、索引、又は検索等に用いられる、記録媒体に記録されたデータユニット又はプログラムについての記述を含むデータのことと解する。
　
　
２．引用例
　
　これに対し、原査定の拒絶の理由で引用された特開平１１−１２０７４９号公報（平成１１年４月３０日公開。以下、「引用例」という。）には、図面とともに次の技術事項が記載されている。なお、下線は当審で付した。
　
（ａ）「【請求項１】  データ領域と管理領域とを有する光ディスクであって、
前記データ領域には、音声情報を含む少なくとも１つのオーディオオブジェクトと、映像情報と音声情報とを含む少なくとも１つのビデオオブジェクトとが格納されており、
前記管理領域には、前記少なくとも１つのオーディオオブジェクトの再生進行をそれぞれ管理する複数の第１の管理情報と、前記少なくとも１つのビデオオブジェクトの再生進行をそれぞれ管理する複数の第２の管理情報とが格納されており、
前記複数の第１の管理情報のそれぞれは、音声の再生属性と前記少なくとも１つのオーディオオブジェクトの再生順序を示す第１の経路情報とを有しており、
前記複数の第２の管理情報のそれぞれは、映像の再生属性と前記少なくとも１つのビデオオブジェクトの再生順序を示す第２の経路情報とを有しており、
前記管理領域には、前記複数の第１の管理情報と前記複数の第２の管理情報との間の連結関係を示す第１の連結情報と前記複数の第１の管理情報間の連結関係を示す第２の連結情報とを含む第１の連結テーブルがさらに格納されている、光ディスク。
【請求項２】  前記管理領域には、前記複数の第１の管理情報間の連結関係を示す前記第２の連結情報のみから構成される第２の連結テーブルがさらに格納されている、請求項１に記載の光ディスク。」
　
（ｂ）「【０００１】
【発明の属する技術分野】本発明は互いに関連づけられた音声情報、動画情報から構成されるマルチメディアデータを、ディジタルデータとして格納する光ディスクとその再生装置、再生方法に関するものである。
【０００２】
【従来の技術】従来、音声情報あるいは動画情報を格納し再生する光ディスクとしては、ＣＤ（Ｃｏｍｐａｃｔ  Ｄｉｓｋ）やＬＤ（Ｌａｓｅｒ  Ｄｉｓｋ）が知られている。
【０００３】ＣＤは、直径１２ｃｍの光学式ディスクである。ＣＤには、リニアＰＣＭ方式を用いて量子化された音声情報が格納されている。ＣＤは、音楽用途のアプリケーション用の格納媒体として広く普及している。
【０００４】ＬＤは、直径３０ｃｍの光学式ディスクである。ＬＤには、動画情報がアナログ信号の形式で格納されている。ＬＤは、映画などの映像用途のアプリケーション用の格納媒体として広く普及している。
【０００５】これらの用途に加えて、オペラや近年登場してきたミュージッククリップ（映像付き音楽）などのように、音楽用途か映像用途かの区別が一律には困難なアプリケーションも登場してきている。
【０００６】ここで、音楽用途か映像用途かの区別ができない用途を「映像付き音楽用途」と称する。
【０００７】
【発明が解決しようとする課題】映像付き音楽用途のアプリケーションの場合、ユーザにとって好ましい視聴形態は異なる。通常の映像再生で十分であると考えるユーザもいれば、映像は不要で高品質な音声のみを楽しみたいと考えるユーザもいれば、音楽は高品質な音声で、かつ、インタビュー等は映像で楽しみたいと考えるユーザも多い。
【０００８】本発明は、上記問題点に鑑み、ユーザの多様な視聴形態に応じて、誤動作することなく、映像と音声の再生、音声のみの再生、または、映像と音声との切替再生をすることが可能なマルチメディアディスク、その再生装置および再生方法を提供することを目的とする。
【０００９】
【課題を解決するための手段】本発明の光ディスクは、データ領域と管理領域とを有する光ディスクであって、前記データ領域には、音声情報を含む少なくとも１つのオーディオオブジェクトと、映像情報と音声情報とを含む少なくとも１つのビデオオブジェクトとが格納されており、前記管理領域には、前記少なくとも１つのオーディオオブジェクトの再生進行をそれぞれ管理する複数の第１の管理情報と、前記少なくとも１つのビデオオブジェクトの再生進行をそれぞれ管理する複数の第２の管理情報とが格納されており、前記複数の第１の管理情報のそれぞれは、音声の再生属性と前記少なくとも１つのオーディオオブジェクトの再生順序を示す第１の経路情報とを有しており、前記複数の第２の管理情報のそれぞれは、映像の再生属性と前記少なくとも１つのビデオオブジェクトの再生順序を示す第２の経路情報とを有しており、前記管理領域には、前記複数の第１の管理情報と前記複数の第２の管理情報との間の連結関係を示す第１の連結情報と前記複数の第１の管理情報間の連結関係を示す第２の連結情報とを含む第１の連結テーブルがさらに格納されており、これにより、上記目的が達成される。
【００１０】前記管理領域には、前記複数の第１の管理情報間の連結関係を示す前記第２の連結情報のみから構成される第２の連結テーブルがさらに格納されていてもよい。」
　
（ｃ）「【００３６】（２）光ディスクの論理構造
図３は、光ディスクであるＤＶＤ１００の論理構造を示す。図３に示されるように、
ＤＶＤ１００の領域は、リードイン領域３１と、ボリューム領域３２と、リードアウト領域３３とに分割されている
【００３７】リードイン領域３１には、ディスク再生装置の読み出し開始時の動作を安定させるためのデータなどが格納される。
【００３８】リードアウト領域３３には、意味のあるデータは格納されていない。リードアウト領域３３は、ディスク再生装置に再生終了を知らせるために使用される。
【００３９】ボリューム領域３２には、アプリケーションに対応するデジタルデータが格納される。ボリューム領域３２に含まれる物理セクタは、論理ブロックとして管理される。論理ブロックは、ボリューム領域３２の先頭の物理セクタを０番として、０番の物理セクタに続く物理セクタに連続する番号（論理ブロック番号）を付与することによって識別される。図３に示される部分３４は、ボリューム領域３２における論理ブロック群を示す。部分３４において、＃ｍ，＃ｍ＋１，＃ｍ＋２，＃ｍ＋３，・・・は、論理ブロックに付された論理ブロック番号を示す。
【００４０】図３に示されるように、
ボリューム領域３２は、ボリューム・ファイル管理領域３２ａと、ビデオゾーン領域３２ｂと、オーディオゾーン領域３２ｃとにさらに分割される
【００４１】ボリューム・ファイル管理領域３２ａには、ＩＳＯ１３３４６に従って、複数の論理ブロックをファイルとして管理するためのファイルシステム管理情報が格納される。ファイルシステム管理情報とは、複数のファイルのそれぞれのファイル名と、各ファイルが占めている論理ブロック群のアドレスとの対応づけを示す情報である。ディスク再生装置は、ファイルシステム管理情報に基づいてファイル単位で光ディスクにアクセスすることを実現する。具体的には、ディスク再生装置は、ファイルシステム管理情報を参照することにより、与えられたファイル名に対応する論理ブロック群のアドレスを取得し、このアドレスに基づいて論理ブロック群をアクセスする。これにより、所望のファイルのデジタルデータを読み出すことができる。
【００４２】
ビデオゾーン領域３２ｂには、ビデオマネージャ情報７００と１つ以上のビデオタイトルセット６００とが格納される
【００４３】
ビデオタイトルセット６００は、複数の映像データとその再生順序を管理する管理情報とを含む
【００４４】
ビデオマネージャ情報７００は、複数のビデオタイトルセット６００の目次を示す情報を含む
【００４５】
オーディオゾーン領域３２ｃには、オーディオマネージャ情報９００と１つ以上のオーディオタイトルセット８００とが格納される
【００４６】
オーディオタイトルセット８００は、複数の音声データとその再生順序を管理する管理情報とを含む
【００４７】
オーディオマネージャ情報９００は、複数のオーディオタイトルセット８００の目次を示す情報を含む
　
（ｄ）「【００４９】（３）ビデオゾーン領域３２ｂ（図３）のデータ構造
ビデオゾーン領域３２ｂには、ビデオマネージャ情報７００と１つ以上のビデオタイトルセット６００とが格納される。
【００５０】（３．１）ビデオタイトルセット６００のデータ構造
図４は、ビデオタイトルセット６００のデータ構造を示す。
ビデオタイトルセット６００は、複数のビデオオブジェクト（以下、ＶＯＢという）６０２と、複数のＶＯＢ６０２の再生順序を管理するビデオタイトルセット情報６０１とを含む
ビデオタイトルセットは、ＶＴＳと略称
【００５１】（３．１．１）ＶＯＢ６０２のデータ構造
ＶＯＢ６０２は、マルチメディア化されたデータである。ＶＯＢ６０２は、デジタル動画データとデジタル音声データと副映像データとこれらの管理情報とを含む。」
　
（ｅ）「【００６５】（３．１．２）ビデオタイトルセット情報６０１のデータ構造
ビデオタイトルセット情報６０１は、ＶＯＢ６０２の再生順序を管理する情報を含む。ここでは、
ＶＯＢ６０２の再生順序を指定するデータをプログラムチェーン（ＰＧＣ）と称する
【００６６】図６は、ビデオタイトルセット情報６０１のデータ構造を示す。図６に示されるように、
ビデオタイトルセット情報（ＶＴＳＩ）６０１は、ＶＴＳ管理テーブル（ＶＴＳＩ＿ＭＡＴ）６１１と、ビデオタイトルセット部タイトルサーチポインタテーブル（ＴＴ＿ＳＲＰＴ）６１２と、ＰＧＣ管理情報テーブル（ＰＧＣＩＴ）６１３とを含む
【００６７】ＶＴＳ管理テーブル６１１は、ビデオタイトルセット情報６０１のヘッダ情報である。ＶＴＳ管理テーブル６１１は、ビデオタイトルセット部タイトルサーチポインタテーブル６１２の格納位置を示すポインタと、ＰＧＣ管理情報テーブル６１３の格納位置を示すポインタとを含む。
【００６８】ビデオタイトルセット部タイトルサーチポインタテーブル６１２は、ポインタ数６２１と、複数の開始ＰＧＣ番号６２２とを含む。開始ＰＧＣ番号６２２は、ＰＧＣ管理情報テーブル６１３に格納される複数のＰＧＣ情報６３１のうち、最初に実行されるべきＰＧＣ情報６３１を示すインデックスである。開始ＰＧＣ番号６２２は、タイトルごとに指定されている。例えば、タイトル＃１に対応する開始ＰＧＣ番号６２２の値が「３」であることは、タイトル＃１に対してＰＧＣ情報＃３が最初に実行されることを意味する。
【００６９】
ＰＧＣ管理情報テーブル６１３は、複数のＰＧＣ情報６３１（ＰＧＣ情報＃１〜ＰＧＣ情報＃ｎ）を含む。ＰＧＣ情報６３１は、１つ以上のＶＯＢ６０２のディスク上の格納位置とその再生順序とを定義する
【００７０】
ＰＧＣ情報６３１は、ＰＧＣ連結情報６４１と、１つ以上のＶＯＢアドレス６４２とを含む
【００７１】
ＰＧＣ連結情報６４１には、ＰＧＣ情報６３１の前後に連結されるＰＧＣ情報６３１のインデックスが格納されている
【００７２】ＶＯＢアドレス６４２は、再生されるＶＯＢ６０２の光ディスク上での位置を示す情報である。また、ＰＧＣ情報６３１におけるＶＯＢアドレス６４２の順序は、ディスク再生装置により再生される順序を示す。」
　
（ｆ）「【００７７】図７に示されるように、
ビデオマネージャ情報（ＶＭＧＩ）７００は
タイトルサーチポインタテーブル（ＴＴ＿ＳＲＰＴ）７０２とを含む
【００７８】メニュー用ビデオオブジェクト７０３は、その名称通り、ボリュームメニュー用に特化されたＶＯＢである。メニュー用ビデオオブジェクト７０３は、ボリュームメニューを表示するための副映像パックと、ボリュームメニューに対するカーソル操作や確定操作に応じた再生制御を行うための管理情報パックとを含んでいる。
【００７９】メニュー用ＰＧＣ管理情報テーブル７０１は、ボリュームメニュー用に特化されたＰＧＣ情報である。メニュー用ＰＧＣ管理情報テーブル７０１には、光ディスクがディスク再生装置に装填された時にメニュー用ビデオオブジェクト７０３が読み出されるように、メニュー用ビデオオブジェクト７０３の格納位置が記述されている。このＰＧＣ情報は、光ディスクがディスク再生装置に装填された後に、光ピックアップがボリューム・ファイル管理領域３２ａからビデオゾーン領域３２ｂに移動した直後にディスク再生装置によって読み出される。これにより、ボリュームメニューが画面上に表示される。
【００８０】
タイトルサーチポインタテーブル７０２は、各タイトルが所属するビデオタイトルセットの番号（すなわち、ＶＴＳ番号７２１）とビデオタイトルセット内において各タイトルに付されたタイトル番号（すなわち、ＶＴＳ内タイトル番号７２２）を特定するためのインデックス７１２を含む
　
（ｇ）「【００８１】（４）オーディオゾーン領域３２ｃのデータ構造
オーディオゾーン領域３２ｃには、オーディオマネージャ情報９００と１つ以上のオーディオタイトルセット８００とが格納される
【００８２】（４．１）オーディオタイトルセット８００のデータ構造
図８Ａは、オーディオタイトルセット８００のデータ構造を示す。
オーディオタイトルセット８００は、複数のオーディオオブジェクト（以下、ＡＯＢという）８０２と、複数のＡＯＢ８０２の再生順序を管理するオーディオタイトルセット情報（ＡＴＳＩ）８０１と
を含む
ＡＴＳ
　
（ｈ）「【００８４】（４．１．２）　オーディオタイトルセット情報８０１のデータ構造
オーディオタイトルセット情報８０１は、ＡＯＢ８０２の再生順序を管理する情報を含む。
ＡＯＢ８０２の再生順序の指定は、ＶＯＢ６０２と同様にプログラムチェーン（ＰＧＣ）によって行われる
【００８５】図８Ａに示されるように、オーディオタイトルセット情報（ＡＴＳＩ）８０１は、ＡＴＳ管理テーブル（ＡＴＳＩ＿ＭＡＴ）８１１と、ＡＴＳプログラムチェーン情報テーブル（ＡＴＳ＿ＰＧＣＩＴ）８１２とを含む。
【００８６】ＡＴＳ管理テーブル８１１は、オーディオタイトルセット情報８０１のヘッダ情報である。ＡＴＳ管理テーブル８１１には、ＡＴＳプログラムチェーン情報テーブル８１２の格納領域を示すポインタとＡＯＢ８０２の格納領域を示すポインタとが格納されている。
【００８７】
ＡＴＳ管理テーブル８１１は、ＡＴＳ識別子（ＡＴＳＩ＿ＩＤ）８２１と、ＡＴＳアドレス情報８２２と
を含む
【００８８】ＡＴＳ識別子８２１には、ＡＴＳであることを示す文字列が格納されている。」
　
（ｉ）「【００９４】図８Ａに示されるように、
ＡＴＳプログラムチェーン情報テーブル８１２は、ＡＴＳプログラムチェーン情報テーブル情報（ＡＴＳ＿ＰＧＣＩＴＩ）８３１と、複数のＡＴＳプログラムチェーン情報サーチポインタ（ＡＴＳ＿ＰＧＣＩ＿ＳＲＰ）８３２と、複数のＡＴＳプログラムチェーン情報（ＡＴＳ＿ＰＧＣＩ）８３３とを含む
【００９５】ＡＴＳプログラムチェーン情報テーブル情報８３１には、ＡＴＳプログラムチェーン情報サーチポインタ８３２の数とＡＴＳプログラムチェーン情報テーブル８１２の最終アドレスとが記述される。ＡＴＳプログラムチェーン情報テーブル情報８３１は、ＡＴＳプログラムチェーン情報サーチポインタ８３２の検索を助けるために使用される。
【００９６】ＡＴＳプログラムチェーン情報サーチポインタ８３２は、ＡＴＳ内のタイトル番号やＰＧＣの属性を記述するＡＴＳ＿ＰＧＣカテゴリ（ＡＴＳ＿ＰＧＣ＿ＣＡＴ）８５１と、ＡＴＳプログラムチェーン情報の格納位置を示すＡＴＳ＿ＰＧＣ開始アドレス（ＡＴＳ＿ＰＧＣＩ＿ＳＡ）８５２とを含む。
【００９７】
ＡＴＳプログラムチェーン情報８３３は、このプログラムチェーンの再生時間やアドレス情報を有するＡＴＳ＿ＰＧＣ一般情報（ＡＴＳ＿ＰＧＣ＿ＧＩ）８６１と、ＡＯＢ８０２の再生の最小単位であるセルのアドレスや属性を有する複数のＡＴＳセル再生情報（ＡＴＳ＿Ｃ＿ＰＢＩ）８６３と、複数のＡＴＳプログラム情報（ＡＴＳ＿ＰＧＩ）８６２とを含む
　
（ｊ）「【０１０１】なお、
オーディオタイトルセット８００には、ＡＯＢ８０２をポイントするタイプ（ＡＯＢポイントタイプ）のものと、ＡＯＢ８０２の代わりにＶＯＢ６０２をポイントするタイプ（ＶＯＢポイントタイプ）のものがある
【０１０２】図８Ｂは、ＶＯＢポイントタイプのオーディオタイトルセット８００のデータ構造を示す。図８Ｂに示されるデータ構造は、オーディオタイトルセット８００が複数のＡＯＢ８０２を有していないことを除いて、図８Ａに示されるデータ構造と同一である。ただし、各属性情報にはＶＯＢ６０２に特有の記述が含まれる。
【０１０３】具体的には、
ＡＴＳ管理テーブル８１１のＡＴＳアドレス情報８２２には、ＶＯＢ６０２が属するＶＴＳ６００のアドレス情報とＶＯＢ６０２のアドレス情報とが記述される
　
（ｋ）「【０１１３】図９は、オーディオマネージャ情報９００のデータ構造を示す。
【０１１４】
オーディオマネージャ情報（ＡＭＧＩ）９００は、オーディオマネージャ情報管理テーブル（ＡＭＧＩ＿ＭＡＴ）９０１と、オーディオタイトルサーチポインタテーブル（ＡＴＴ＿ＳＲＰＴ）９０２と、オーディオオンリータイトルサーチポインタテーブル（ＡＯＴＴ＿ＳＲＰＴ）９０３と、オーディオマネージャメニューＰＧＣ管理情報テーブル（ＡＭＧＭ＿ＰＧＣＩ＿ＵＴ）９０４と
とを含む
【０１１５】オーディオマネージャ情報管理テーブル９０１には、オーディオマネージャ情報９００の属性や各種テーブルのアドレス情報などが格納される。
【０１１６】
オーディオタイトルサーチポインタテーブル９０２は、オーディオタイトルサーチポインタテーブル情報（ＡＴＴ＿ＳＲＰＴＩ）９１１と、複数のオーディオタイトルサーチポインタ（ＡＴＴ＿ＳＲＰ）９１２とを含む
【０１１７】
オーディオタイトルサーチポインタテーブル情報９１１には、オーディオタイトルの数とオーディオタイトルサーチポインタテーブル９０２の最後のアドレスとが格納される
【０１１８】
オーディオタイトルサーチポインタ９１２には、ＡＴＳのタイトルを指定する場合とＶＴＳのタイトルを指定する場合とで異なる情報が格納される
【０１１９】オーディオタイトルサーチポインタ９１２のオーディオタイトルカテゴリ９３１は、ＡＯＴＴ／ＡＶＴＴフラグ９６１と、メニュー回帰フラグ９６２と、ＡＴＴグループ番号９６３とを含む。
【０１２０】ＡＴＳのタイトルを指定する場合には、ＡＯＴＴ／ＡＶＴＴフラグ９６１にはＡＯＴＴを示すコードが格納される。ＶＴＳのタイトルを指定する場合には、ＡＯＴＴ／ＡＶＴＴフラグ９６１にはＡＶＴＴを示すコードが格納される。
【０１２１】メニュー回帰フラグ９６２には、指定されたタイトルを再生後にメニューに戻るか否かを示すフラグが格納される。
【０１２２】ＡＴＴグループ番号９６３には、指定されたタイトルが属するタイトルグループの番号が格納される。ここで、タイトルグループとは、同一のタイトルグループに属している複数のタイトルを連続再生することを保証するための概念である。ＡＴＴグループ番号９６３は、複雑なナビゲーション情報に基づく再生制御を行うことなく、複数のタイトルを連続再生するために設けられている。
【０１２３】
オーディオタイトルサーチポインタテーブル９０２は、映像機能付きのオーディオプレイヤーによって参照される
【０１２４】
オーディオオンリータイトルサーチポインタテーブル９０３は、オーディオタイトルサーチポインタテーブル９０２と同様のデータ構造を有している。ただし、オーディオオンリータイトルサーチポインタテーブル９０３を用いてＶＴＳのタイトルが指定されることはない
【０１２５】
オーディオオンリータイトルサーチポインタテーブル９０３は、音声出力のみのオーディオプレイヤーによって参照される
　
　上記記載事項及び図面を総合勘案すると、引用例には、次の発明（以下、「引用発明」という。）が記載されていると認められる。
　
「ビデオゾーン領域に、複数のビデオオブジェクト（ＶＯＢ）とからなる映像及び音声情報が格納され、オーディオゾーン領域に、複数のオーディオオブジェクト（ＡＯＢ）からなる音声情報が格納された光ディスクであって、
　ビデオゾーン領域にはビデオマネージャ情報（ＶＭＧ）と、１つ以上のビデオタイトルセット（ＶＴＳ）とが格納され、
　前記ビデオタイトルセット（ＶＴＳ）は、ビデオタイトルセット情報（ＶＴＳＩ）と複数のＶＯＢを含み、
　前記ＶＴＳＩは、各タイトルのＰＧＣ開始位置を含むビデオタイトルセット部タイトルサーチポインタテーブル（ＴＴ＿ＳＲＰＴ）と、ＰＧＣ情報を含むＰＧＣ管理情報テーブル（ＰＧＣＩＴ）とを含み、
　前記ＰＧＣ情報は、前記ＶＯＢのアドレスとＰＧＣ連結情報を含むもので、
　前記ビデオマネージャ情報（ＶＭＧ）は、タイトルサーチポインタテーブル（ＴＴ＿ＳＲＰＴ）を含み、
　前記タイトルサーチポインタテーブル（ＴＴ＿ＳＲＰＴ）は、各タイトルが所属するビデオタイトルセットの番号（ＶＴＳ番号）とビデオタイトルセット内において各タイトルに付されたタイトル番号（ＶＴＳ内タイトル番号）を特定するためのタイトルサーチポインタを含み、
　
　オーディオゾーン領域には、オーディオマネージャ情報（ＡＭＧ）と、１つ以上のオーディオタイトルセット（ＡＴＳ）とが格納され、
　前記オーディオタイトルセット（ＡＴＳ）は、オーディオタイトルセット情報（ＡＴＳＩ）と、当該オーディオタイトルセット（ＡＴＳ）がＡＯＢポイントタイプである場合には複数のオーディオオブジェクト（ＡＯＢ）を含み、
　前記オーディオタイトルセット情報（ＡＴＳＩ）は、ＡＴＳ管理テーブル（ＡＴＳＩ＿ＭＡＴ）と、ＡＴＳプログラムチェーン情報テーブル（ＡＴＳ＿ＰＧＣＩＴ）とを含み、
　前記ＡＴＳ管理テーブル（ＡＴＳＩ＿ＭＡＴ）は、ＡＴＳアドレス情報を含み、
　前記ＡＴＳプログラムチェーン情報テーブル（ＡＴＳ＿ＰＧＣＩＴ）は、ＡＴＳプログラムチェーン情報テーブル情報（ＡＴＳ＿ＰＧＣＩＴＩ）と、複数のＡＴＳプログラムチェーン情報サーチポインタ（ＡＴＳ＿ＰＧＣＩ＿ＳＲＰ）と、複数のＡＴＳプログラムチェーン情報（ＡＴＳ＿ＰＧＣＩ）とを含み、
　前記ＡＴＳプログラムチェーン情報は、このプログラムチェーンの再生時間やアドレス情報を有するＡＴＳ＿ＰＧＣ一般情報（ＡＴＳ＿ＰＧＣ＿ＧＩ）と、ＡＯＢの再生の最小単位であるセルのアドレスや属性を有する複数のＡＴＳセル再生情報（ＡＴＳ＿Ｃ＿ＰＢＩ）と、複数のＡＴＳプログラム情報（ＡＴＳ＿ＰＧＩ）とを含み、
　また、オーディオタイトルセットがＶＯＢポイントタイプの場合には、ＡＯＢを有さず、ＡＴＳ管理テーブル（ＡＴＳＩ＿ＭＡＴ）の、ＡＴＳアドレス情報には、ビデオオブジェクト（ＶＯＢ）が属するビデオタイトルセット（ＶＴＳ）のアドレス情報が含まれ、
　前記オーディオマネージャ情報（ＡＭＧ）は、オーディオタイトルサーチポインタテーブル（ＡＴＴ＿ＳＲＰＴ）と、オーディオオンリータイトルサーチポインタテーブル（ＡＯＴＴ＿ＳＲＰＴ）とを含み、
・・前記オーディオタイトルサーチポインタテーブル（ＡＴＴ＿ＳＲＰＴ）は、オーディオタイトルサーチポインタテーブル情報（ＡＴＴ＿ＳＲＰＴＩ）と、複数のオーディオタイトルサーチポインタ（ＡＴＴ＿ＳＲＰ）とを含み、
　前記オーディオタイトルサーチポインタテーブル情報（ＡＴＴ＿ＳＲＰＴＩ）には、オーディオタイトルの数とオーディオタイトルサーチポインタテーブルの最後のアドレスとが格納され、
　前記オーディオタイトルサーチポインタ（ＡＴＴ＿ＳＲＰ）には、ＡＴＳのタイトルを指定する場合、ＡＴＳ番号、ＡＴＳ内タイトル番号及びＡＴＳ開始アドレスがそれぞれ格納され、ＶＴＳのタイトルを指定する場合、ＶＴＳ番号、ＶＴＳ内タイトル番号、ＶＴＳ開始アドレス及びアングル番号がそれぞれ格納され、
　前記オーディオオンリータイトルサーチポインタテーブル（ＡＯＴＴ＿ＳＲＰＴ）には、オーディオオンリータイトルサーチポインタ（ＡＯＴＴ＿ＳＲＰ）が格納され、
　前記オーディオオンリータイトルサーチポインタ（ＡＯＴＴ＿ＳＲＰ）には、ＡＴＳ番号、ＡＴＳ内タイトル番号及びＡＴＳ開始アドレスがそれぞれ格納され、
　
　オーディオタイトルサーチポインタテーブル（ＡＴＴ＿ＳＲＰＴ）は、映像機能付きのオーディオプレイヤーによって参照され、オーディオオンリータイトルサーチポインタテーブル（ＡＯＴＴ＿ＳＲＰＴ）は、音声出力のみのオーディオプレイヤーによって参照されるものである、
　光ディスク。」
　
３．対比
　本願発明と引用発明とを以下に対比する。
　引用発明の「光ディスク」は、本願発明の「記録媒体」に相当する。
　引用発明における「ビデオオブジェクト（ＶＯＢ）」は、【００６８】段落に記載されるように、複数のＰＧＣ情報によりそれぞれ再生順序を特定されることから、ビデオ領域においてデータの構成単位として扱われているということができるもので、本願発明の「第１のデータユニット」に相当する。同様に、引用発明における「オーディオオブジェクト（ＡＯＢ）」は、【０１００】段落に記載されるように「ＡＴＳプログラムチェーン情報８３３は、１つ以上のＡＯＢ８０２のディスク上の格納位置とその再生順序とを記述している」ことからオーディオ領域においてデータの構成単位として扱われているということができるもので、本願発明の「第２のデータユニット」に相当する。なお、【００９７】段落には、ＡＴＳプログラムチェーン情報８３３は、ＡＯＢ８０２の再生の最小単位であるセルのアドレスや属性を有する複数のＡＴＳセル再生情報（ＡＴＳ＿Ｃ＿ＰＢＩ）８６３と、複数のＡＴＳプログラム情報（ＡＴＳ＿ＰＧＩ）８６２とを含むことが記載されており、前記再生の最小単位である「セル」を本願発明における「第２のデータユニット」に相当するものとすることもでき、いずれにせよ、引用例に記載された光ディスクは、本願発明の「第２のデータユニット」に相当する構成を備えていることが明らかである。
　引用発明における「複数のビデオオブジェクト（ＶＯＢ）」からなる「映像及び音声情報」と、「複数のオーディオオブジェクト（ＡＯＢ）」あるいはその再生の最小単位である「セル」からなる「音声情報」とは、互いに異なる情報であるから、引用発明の光ディスクには、本願発明の「複数個のデータユニットよりなる異種の第１及び第２データ」に相当するデータが記録されている。
　引用発明の「ＰＧＣ情報」は、「ＶＯＢのアドレスとＰＧＣ連結情報を含む」ものであるから「ＶＯＢ」に対する情報を記述したものであるということができ、本願発明の「第１データユニットに対する情報がデータユニットデスクリプタとして記録される」ことに相当し、前記「ＰＧＣ情報」を含む「ＰＧＣ管理情報テーブル（ＰＧＣＩＴ）」及び「各タイトルのＰＧＣ開始位置を含むビデオタイトルセット部タイトルサーチポインタテーブル（ＴＴ＿ＳＲＰＴ）」とが、引用発明の「ビデオタイトルセット（ＶＴＳ）」に含まれる「ビデオタイトルセット情報（ＶＴＳＩ）」に含まれることは、本願発明の「第１データユニットデスクリプタテーブル」を備えることに相当する。
　引用発明の「ＡＴＳプログラムチェーン情報（ＡＴＳ＿ＰＧＣＩ）」が「１つ以上のＡＯＢ８０２のディスク上の格納位置とその再生順序とを記述している（【０１００】段落参照。）」こと、または前記「ＡＴＳプログラムチェーン情報（ＡＴＳ＿ＰＧＣＩ）」に含まれる「ＡＴＳセル再生情報（ＡＴＳ＿Ｃ＿ＰＢＩ）」が、ＡＯＢの再生の最小単位であるセルのアドレスや属性を有するＡＴＳセル開始アドレス（ＡＴＳ＿Ｃ＿ＳＡ）、ＡＴＳセル終了アドレス（ＡＴＳ＿Ｃ＿ＥＡ）を含むことは、本願発明の「第２データユニットに対する情報がデータユニットデスクリプタとして記録される」ことに相当し、したがって 前記「ＡＴＳセル再生情報（ＡＴＳ＿Ｃ＿ＰＢＩ）」が含まれる「ＡＴＳプログラムチェーン情報（ＡＴＳ＿ＰＧＣＩ）」が、「オーディオタイトルセット（ＡＴＳ）」に含まれるオーディオタイトルセット情報（ＡＴＳＩ）に含まれる「ＡＴＳプログラムチェーン情報テーブル（ＡＴＳ＿ＰＧＣＩＴ）」に含まれることは、本願発明の「第２データユニットデスクリプタテーブル」を備えることに相当する。
　
　引用発明における「タイトル」は、映画その他の映像作品、音楽の曲、音楽アルバム、またはそれらを複合したもの等であり、本願発明の「プログラム」に相当する。
　引用発明において、ビデオマネージャ情報（ＶＭＧ）に含まれる「タイトルサーチポインタテーブル（ＴＴ＿ＳＲＰＴ）」に含まれる各タイトルの「タイトルサーチポインタ」は、少なくとも各タイトルについて記述したものを含む点で本願発明の「プログラムデスクリプタ」と共通するものということができる。また、前記「タイトルサーチポインタ（ＴＴ＿ＳＲＰＴ）」が、各タイトルが所属するビデオタイトルセットの番号（ＶＴＳ番号）とビデオタイトルセット内において各タイトルに付されたタイトル番号（ＶＴＳ内タイトル番号）を含むことは、各タイトルを構成するＶＯＢアドレス等について記述した各タイトルごとのＰＧＣ情報及び開始プログラム番号ごとの開始ＰＧＣ位置に対する情報の形で各タイトルについての情報が記述されていることであるから、本願発明の「それぞれのプログラムを構成している１つまたはそれ以上のデータユニットに対する情報がそれぞれのデータユニットデスクリプタに対する情報の形に該当プログラムのプログラムデスクリプタに貯蔵される第１」「プログラムデスクリプタテーブルを有し」ていることに相当する。
　
　同様に、引用発明において、オーディオマネージャ情報（ＡＭＧ）に含まれる「オーディオタイトルサーチポインタテーブル（ＡＴＴ＿ＳＲＰＴ）」に含まれる各「オーディオタイトルサーチポインタ」は、少なくとも各タイトルについて記述したものを含む点で本願発明の「プログラムデスクリプタ」と共通するものということができる。また、前記「オーディオタイトルサーチポインタ（ＡＴＴ＿ＳＲＰＴ）」が、各タイトルが所属するオーディオタイトルセットの番号であるＡＴＳ番号（ＡＴＳＮ）とオーディオタイトルセット内において各タイトルに付されたＡＴＳ内タイトル番号（ＡＴＳ＿ＴＴＮ）を含むことは、各タイトルを構成するＡＯＢアドレス等について記述した各タイトルごとのＰＧＣ情報及び開始プログラム番号ごとの開始ＰＧＣ位置に対する情報の形で各タイトルについての情報が記述されていることであるから、本願発明の「それぞれのプログラムを構成している１つまたはそれ以上のデータユニットに対する情報がそれぞれのデータユニットデスクリプタに対する情報の形に該当プログラムのプログラムデスクリプタに貯蔵される」「第２プログラムデスクリプタテーブルを有し」ていることに相当する。
　
　引用発明において、前記「オーディオタイトルサーチポインタ（ＡＴＴ＿ＳＲＰ）」には、ＶＴＳのタイトルを指定する場合、ＶＴＳ番号、ＶＴＳ内タイトル番号、ＶＴＳ開始アドレス及びアングル番号がそれぞれ格納されることも特定されている。先に、「第１プログラムデスクリプタテーブル」についての検討で明らかにしたように、ＶＴＳ内タイトル番号からは、タイトルごとの開始ＰＧＣ位置、ＰＧＣ情報を介して、各ＶＯＢのアドレスにアクセスできることが明らかであるから、「オーディオタイトルサーチポインタテーブル（ＡＴＴ＿ＳＲＰＴ）」に含まれる各「オーディオタイトルサーチポインタ（ＡＴＴ＿ＳＲＰ）」に、ＶＴＳ番号、ＶＴＳ内タイトル番号、ＶＴＳ開始アドレス及びアングル番号がそれぞれ格納されることは、本願発明の「第２プログラムデスクリプタテーブルのプログラムデスクリプタには」「第１データユニットに対する情報を含む」ことに相当する。そして、引用発明において「オーディオタイトルサーチポインタテーブル９０２は、映像機能付きのオーディオプレイヤーによって参照され」ることは、引用例の【０２１７】ないし【０２２４】及び図１６Ｂ他、再生動作の各例で示されるように、ＡＯＢからなるオーディオ領域のタイトルと、ＶＯＢからなるビデ領域のタイトルとを連結して再生する意図であることが明らかであるから、本願発明の「第２データユニットと連結して再生を希望する」ものであることが明らかである。
　
　そして、以上の検討で指摘した引用発明の事項は、いずれも、光ディスクが特定の「データ構造で記録された」ことを示すものである。
　
　以上のことからすると、本願発明と引用発明との一致点・相違点は次のとおりである。
　
（一致点）
「複数個のデータユニットよりなる異種の第１及び第２データと、
　第１及び第２データユニットに対する情報がデータユニットデスクリプタとして各々記録される第１及び第２データユニットデスクリプタテーブルと、
　それぞれのプログラムを構成している１つまたはそれ以上のデータユニットに対する情報がそれぞれのデータユニットデスクリプタに対する情報の形に該当プログラムのプログラムデスクリプタに貯蔵される第１及び第２プログラムデスクリプタテーブルを有し、前記第２プログラムデスクリプタテーブルのプログラムデスクリプタには第２データユニットと連結して再生を希望する第１データユニットに対する情報を含むデータ構造で記録された記録媒体。」
　
（相違点）
本願発明において、第２プログラムデスクリプタテーブルのプログラムデスクリプタに含まれる、第２データユニットと連結して再生を希望する第１データユニットに対する情報が、「１または複数の」と特定されているのに対し、引用発明では個数に対する特定がない点。
　
４．当審の判断
　引用発明には、少なくとも「１」つの第１データユニットに対する情報が含まれることが明らかであるから、本願発明が「１」または「複数」を択一的な要件とするものである以上、実質的に選択肢の一つが含まれているとすることができる。
　また、引用例の図９を参照すると、オーディオタイトルサーチポインタ＃３（ＡＴＴ＿ＳＲＰ＃３）に、ＶＴＳ番号、ＶＴＳ内タイトル番号、ＶＴＳ開始アドレス及びアングル番号がそれぞれ格納されるデータ構造が記載されているところ、前記オーディオタイトルサーチポインタ＃３は、図示のための一例であって、オーディオタイトルサーチポインタ＃３以外のオーディオタイトルサーチポインタ（ＡＴＴ＿ＳＲＰ）にも再生したいオーディオ、ビデオ情報に応じてＶＴＳ番号、ＶＴＳ内タイトル番号、ＶＴＳ開始アドレス及びアングル番号を格納することで、当該オーディオタイトルサーチポインタ（ＡＴＴ＿ＳＲＰ）に対応してオーディオ領域のタイトルに、ビデオ領域のタイトルを連結しうることは明らかであるから、引用例に記載された事項から「複数の」第１データユニットに対する情報を含むようにすることは当業者が容易に想到しうるものである。
　すると、本願発明は引用発明に基づいて当業者が容易に想到しうるものであり、また、本願発明が奏する作用効果も引用発明から当業者が予測しうるものにすぎない。
　
５．結び
　以上のとおり、本願の請求項１に係る発明は、引用例に記載された発明に基づいて当業者が容易に発明をすることができたものであるから、特許法第２９条第２項の規定により、特許を受けることができない。
　したがって、その余の請求項について検討するまでもなく、本願は、拒絶すべきものである。
　よって、結論のとおり審決する。